(57)【要約】【課題】従来のフィルム裁断装置よりも部品点数が少なく、さらに、構造を単純にする。【解決手段】フィルム裁断装置（３００）は、ＩＣインレット（４１０）が連続的に貼り付けられている剥離紙（３１０）がロール状に巻かれているＩＣインレット・ロール（３２０）から前記剥離紙を搬送する搬送機構（３３０）と、搬送されてきた前記剥離紙を上面で支持する支持台（３４０）と、前記支持台（３４０）と協働して、前記剥離紙を各ＩＣインレット毎に裁断する上刃部（３５０）と、からなり、前記上刃部には、その下面に、切断した各ＩＣインレットを吸引する吸引機構（３５１，３６０）が形成されており、前記上刃部は上下動可能に構成されている。【選択図】    図１
2007061930.tif 000002
【特許請求の範囲】
【請求項１】
ＩＣインレットが連続的に貼り付けられている剥離紙がロール状に巻かれているＩＣインレット・ロールから前記剥離紙を搬送する搬送機構と、
搬送されてきた前記剥離紙を上面で支持する支持台と、
前記支持台と協働して、前記剥離紙を各ＩＣインレット毎に裁断する上刃部と、
からなり、
前記上刃部には、その下面に、切断した各ＩＣインレットを吸引する吸引機構が形成されており、
前記上刃部は上下動可能に構成されていることを特徴とするフィルム裁断装置。
【請求項２】
前記支持台の外縁には下刃部が形成されており、前記下刃部が前記上刃部と協働して前記剥離紙を裁断することを特徴とする請求項１に記載のフィルム裁断装置。
【発明の詳細な説明】
【技術分野】
【０００１】
本発明は、一の方向に延びる長尺のフィルムを所定の長さ毎に裁断するフィルム裁断装置、特に、ＩＣインレットが連続的に貼り付けられている剥離紙を各ＩＣインレット毎に裁断するフィルム裁断装置に関する。
【背景技術】
【０００２】
図８は従来のフィルム裁断装置の概略的な斜視図である。
【０００３】
このフィルム裁断装置は、上刃部１００と、下刃部１１０と、下刃部１１０用のバキューム機構（図示せず）と、吸着機構（図示せず）を備える移載ハンド１２０と、フィルム１４０を搬送する搬送装置１５０と、下刃部１１０を前進・後退させる移送装置（図示せず）と、を備えている。
【０００４】
上刃部１００は上下動可能に構成されている。また、下刃部１１０にはバキューム孔１３０が形成されており、このバキューム孔１３０はバキューム機構（図示せず）に通じている。
【０００５】
フィルム１４０は、搬送装置１５０により、下刃部１１０に向かって搬送される。フィルム１４０の先端が下刃部１１０上に達すると、バキューム機構（図示せず）が作動して、フィルム１４０の先端はバキューム孔１３０を介して下刃部１１０に吸着される。
【０００６】
この状態において、上刃部１００が下降し、下刃部１１０上に吸着されているフィルム１４０を裁断する。
【０００７】
この後、下刃部１１０を前進・後退させる移送装置（図示せず）が作動し、下刃部１１０は、裁断されたフィルム片１４０ａを吸着したまま、矢印Ａの方向、すなわち、フィルム１４０ら離れる方向に移動する。
【０００８】
次いで、吸着機構（図示せず）を備える移載ハンド１２０が下降し、裁断されたフィルム片１４０ａを吸着し、フィルム片１４０ａを所定の位置まで下降させる。
【特許文献１】特開２００５−９５９９１号公報（図１）
【発明の開示】
【発明が解決しようとする課題】
【０００９】
図８に示した従来のフィルム裁断装置は、裁断したフィルム片１４０ａを下刃部１１０がその上面上に吸着する構成となっている。
【００１０】
図８に示した従来のフィルム裁断装置は、下刃部１１０がその上面に吸着しているフィルム片１４０ａをさらに下方に下降させるためには、下刃部１１０を前進・後退させる移送装置（図示せず）と、吸着機構（図示せず）を備える移載ハンド１２０と、を備えなければならず、フィルム裁断装置の部品点数の増大、構造の複雑さの増大を引き起こす原因となっていた。
【００１１】
本発明は、このような従来のフィルム裁断装置における問題点に鑑みてなされたものであり、従来のフィルム裁断装置よりも部品点数が少なく、さらに、従来のフィルム裁断装置よりも単純な構造を有するフィルム裁断装置を提供することを目的とする。
【課題を解決するための手段】
【００１２】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１３】
上記の目的を達成するため、本発明は、ＩＣインレット（４１０）が連続的に貼り付けられている剥離紙（３１０）がロール状に巻かれているＩＣインレット・ロール（３２０）から前記剥離紙（３１０）を搬送する搬送機構（３３０）と、搬送されてきた前記剥離紙（３１０）を上面で支持する支持台（３４０）と、前記支持台（３４０）と協働して、前記剥離紙（３１０）を各ＩＣインレット（４１０）毎に裁断する上刃部（３５０）と、からなり、前記上刃部（３５０）には、その下面に、切断した各ＩＣインレット（４１０）を吸引する吸引機構（３５１、３６０）が形成されており、前記上刃部（３５０）は上下動可能に構成されていることを特徴とするフィルム裁断装置（３００）を提供する。
【００１４】
前記支持台（３４０）の外縁（３４０ｂ）には下刃部が形成されており、前記下刃部が前記上刃部（３５０）と協働して前記剥離紙（３１０）を裁断するものであることが好ましい。
【発明の効果】
【００１５】
本発明に係るフィルム裁断装置によれば、図８に示した従来のフィルム裁断装置と比較して、下刃部１１０を前進・後退させる移送装置（図示せず）、さらには、吸着機構（図示せず）を備える移載ハンド１２０にそれぞれ対応する装置が不要となり、従来のフィルム裁断装置よりも部品点数が少なく、さらに、従来のフィルム裁断装置よりも構造を単純にすることができる。
【発明を実施するための最良の形態】
【００１６】
図１は、ＩＣインレット貼り付け装置２００の構造を示す概略図である。本発明の一実施形態に係るフィルム裁断装置３００はこのＩＣインレット貼り付け装置２００の一部を構成している。
【００１７】
図１に示すＩＣインレット貼り付け装置２００は、ＩＣインレットを貼り付ける対象である基材シート２１０がロール状に巻かれている基材シートロール２２０と、基材シートロール２２０から供給される基材シート２１０にテンションを与えるテンションロール２３０と、基材シート２１０から剥離紙２１１（後述。図２参照）を剥がす剥離ロール２４０と、剥離ロール２４０により剥がされた剥離紙２１１を巻き取る剥離紙巻き取りロール２５０と、本発明の一実施形態に係るフィルム裁断装置３００と、フィルム裁断装置３００を通過した基材シート２１０にテンションを与えるテンションロール２６０と、基材シート２１０を巻き取る基材シート巻き取りロール２７０と、から構成されている。
【００１８】
図２は、基材シート２１０の構成を示す断面図である。
【００１９】
基材シート２１０は、基材紙２１３と、基材紙２１３上に貼り付けられた両面粘着テープ２１２と、両面粘着テープ２１２上に貼り付けられた剥離紙２１１と、からなる。
【００２０】
このうち、剥離紙２１１は、上述のように、剥離ロール２４０により、引き剥がされ、剥離紙巻き取りロール２５０に巻き取られる。
【００２１】
両面粘着テープ２１２は基材紙２１３の全面にわたって貼り付けられている必要はなく、後述するＩＣインレットを貼り付ける領域にのみ、貼り付けられていれば足りる。
【００２２】
基材シート巻き取りロール２７０は駆動ロールとして機能する。すなわち、基材シート巻き取りロール２７０は基材シートロール２２０から基材シート２１０を巻き取る方向に回転するように駆動されている。このため、基材シート２１０は基材シートロール２２０から基材シート巻き取りロール２７０の方向Ｓに搬送される。
【００２３】
本発明の一実施形態に係るフィルム裁断装置３００は、図１に示すように、ＩＣインレット４１０（図３参照）が連続的に貼り付けられている剥離紙３１０がロール状に巻かれているＩＣインレット・ロール３２０と、ＩＣインレット・ロール３２０から剥離紙３１０を引き出して搬送する搬送駆動ローラー３３０と、搬送されてきた剥離紙３１０を上面で支持する支持台３４０と、支持台３４０と協働して、剥離紙３１０を各ＩＣインレット毎に所定の長さに裁断する上刃部３５０と、上刃部３５０の下面に切断した各ＩＣインレットを吸引するための吸引ポンプ３６０と、から構成されている。
【００２４】
図３は、ＩＣインレット４１０が連続的に貼り付けられている剥離紙３１０の平面図である。
【００２５】
図３に示すように、一の方向に延びる剥離紙３１０の表面上には、ＩＣインレット４１０が等間隔に貼り付けられている。各ＩＣインレット４１０は、メモリを備えるＩＣチップ４１０ａと、ＩＣチップ４１０ａに接続され、ＩＣチップ４１０ａと非接触式の通信（データの送受信）を行うアンテナ４１０ｂと、から構成されており、ＩＣチップ４１０ａとアンテナ４１０ｂとは絶縁性基板４１０ｃ上に形成されている。
【００２６】
図４は、上刃部３５０の下面の平面図である。
【００２７】
図４に示すように、上刃部３５０の下面には複数個の吸引孔３５１が形成されており、各吸引孔３５１は吸引ポンプ３６０に通じている。このため、後述するように、上刃部３５０はその下面において吸引孔３５１を介して、裁断されたＩＣインレット４１０を吸着することができるようになっている。
【００２８】
さらに、上刃部３５０は上下動可能に構成されている。
【００２９】
すなわち、上刃部３５０は、支持台３４０の直上の位置（図１に示す位置）と、支持台３４０の下方を通過する基材シート２１０上の位置との間を上昇及び下降することが可能であるように構成されている。
【００３０】
以下、本発明の一実施形態に係るフィルム裁断装置３００の動作を説明する。
【００３１】
図５、図６及び図７は、上刃部３５０の動作を示す概略図である。図５乃至図７においては、単純化のため、剥離紙３１０、支持台３４０、上刃部３５０及び基材シート２１０のみ示してある。
【００３２】
図５に示すように、当初の段階においては、上刃部３５０は支持台３４０の直上に、かつ、上刃部３５０の上方から見たときに、上刃部３５０の側縁３５０ａと支持台３４０の側縁３４０ａとがほぼ同一直線上に重なるように、配置されている。
【００３３】
なお、上刃部３５０の側縁３５０ａの下端３５０ｂは剥離紙３１０をスムーズに裁断できるように鋭利に研がれ、刃を構成している。
【００３４】
剥離紙３１０の裁断時には、搬送駆動ローラー３３０が所定の角度だけ回転し、剥離紙３１０を所定の長さ、すなわち、ＩＣインレット４１０が１個裁断される長さだけ搬送する。この結果、図６に示すように、剥離紙３１０はＩＣインレット４１０の１個分の長さだけ支持台３４０から突出する。
【００３５】
次いで、上刃部３５０は、図５に示した位置から下降を開始し、同時に、吸引ポンプ３６０が作動を開始する。
【００３６】
上刃部３５０の下降により、剥離紙３１０はＩＣインレット４１０の１個分の長さだけ裁断される。それと同時に、吸引ポンプ３６０が作動を開始したことにより、裁断された剥離紙３１０の片３１０ａ（１個のＩＣインレット４１０を含んでいる）は、吸引孔３５１を介して、上刃部３５０の下面に吸着される。
【００３７】
図７に示すように、上刃部３５０は、その下面に剥離紙３１０の裁断片３１０ａを吸着したままの状態で基材シート２１０上まで下降する。
【００３８】
基材シート２１０においては、既に剥離紙２１１が剥離ロール２４０により剥がされ、両面粘着テープ２１２が露出しているため、上刃部３５０の下面に吸着された剥離紙３１０の裁断片３１０ａは両面粘着テープ２１２に貼り付けられる。
【００３９】
この後、図５に示す位置まで上刃部３５０は上昇する。
【００４０】
上刃部３５０が図５乃至図７に示した下降及び上昇を１サイクルとして繰り返すことにより、ＩＣインレット４１０が１個ずつ両面粘着テープ２１２上に貼り付けられていく。
【００４１】
以上のように、本実施形態に係るフィルム裁断装置３００によれば、図８に示した従来のフィルム裁断装置と比較して、下刃部１１０を前進・後退させる移送装置（図示せず）、さらには、吸着機構（図示せず）を備える移載ハンド１２０にそれぞれ対応する装置が不要となり、従来のフィルム裁断装置よりも部品点数が少なく、さらに、従来のフィルム裁断装置よりも構造を単純にすることができる。
【００４２】
なお、支持台３４０の側縁３４０ａの上端３４０ｂ（図５参照）を鋭利に研いで、刃を構成させることも可能である。この場合、剥離紙３１０は上刃部３５０及び下刃部としての支持台３４０の鋭利な端部３４０ｂの双方により上下から裁断されることになり、上刃部３５０だけで裁断する場合と比較して、よりスムーズに剥離紙３１０を裁断することができる。
【図面の簡単な説明】
【００４３】
【図１】本発明の一実施形態に係るフィルム裁断装置が適用されるＩＣインレット貼り付け装置の構造を示す概略図である。
【図２】基材シートの構成を示す断面図である。
【図３】ＩＣインレットが連続的に貼り付けられている剥離紙の平面図である。
【図４】上刃部の下面の平面図である。
【図５】上刃部の動作を示す概略図である。
【図６】上刃部の動作を示す概略図である。
【図７】上刃部の動作を示す概略図である。
【図８】従来のフィルム裁断装置の概略的な斜視図である。
【符号の説明】
【００４４】
２００  ＩＣインレット貼り付け装置
２１０  基材シート
２１１  剥離紙
２１２  両面粘着テープ
２１３  基材紙
２２０  基材シートロール
２３０  テンションロール
２４０  剥離ロール
２５０  剥離紙巻き取りロール
２６０  テンションロール
２７０  基材シート巻き取りロール
３００  フィルム裁断装置
３１０  剥離紙
３２０  ＩＣインレット・ロール
３３０  搬送駆動ローラー
３４０  支持台
３５０  上刃部
３５１  吸引孔
３６０  吸引ポンプ
４１０  ＩＣインレット
４１０ａ  ＩＣチップ
４１０ｂ  アンテナ
４１０ｃ  絶縁性基板
【図１】
2007061930.tif 000003
【図２】
2007061930.tif 000004
【図３】
2007061930.tif 000005
【図４】
2007061930.tif 000006
【図５】
2007061930.tif 000007
【図６】
2007061930.tif 000008
【図７】
2007061930.tif 000009
【図８】
2007061930.tif 000010